(57)【要約】【課題】固定的に表記したい情報の保持の信頼性を高めることができる一方で、ラベル作成後における情報変更の実行を確保する。【解決手段】ＰＣ１１８は、作成される印字付き電子ラベルＬに含まれるカバーフィルム１０３における、サーマルヘッド２３による印字イメージＩｍＰを表示すると共に、作成される印字付き電子ラベルＬに含まれる電子ペーパー部Ｅｐにおける、電界印加ヘッド２９の電界の印加による情報表示イメージＩｍＤを表示する表示部１１８ａと、サーマルヘッド２３による印字内容、及び、電子ペーパー部Ｅｐにおける情報表示内容、を操作者が操作入力するための入力操作部１１８ｂとを有する。【選択図】図５
2012013957.tif 000002
【特許請求の範囲】
【請求項１】
電界印加により所望の情報表示が可能であるとともに電界印加停止後も情報表示状態を保持可能な電子ペーパー部をテープ長手方向に連続的に又は断続的に配置した基材テープ、又は、前記基材テープに貼り合わせる被印字テープ、に対して印字手段によって所望の印字を行うとともに、前記電子ペーパー部に対して電界印加手段によって電界を印加し所望の情報表示を行わせ、印字付き電子ラベルを作成するための印字電子ラベル編集装置であって、
作成される前記印字付き電子ラベルに含まれる前記基材テープ又は前記被印字テープにおける、前記印字手段による印字イメージを表示する第１表示手段と、
作成される前記印字付き電子ラベルに含まれる前記電子ペーパー部における、前記電界印加手段の前記電界の印加による情報表示イメージを表示する第２表示手段と、
前記印字手段による印字内容、及び、前記電子ペーパー部における情報表示内容、を操作者が操作入力するための入力操作手段と、
を有することを特徴とする印字電子ラベル編集装置。
【請求項２】
請求項１記載の印字電子ラベル編集装置において、
カートリッジホルダを用いて設置された印字電子ラベル用カートリッジに備えられた前記基材テープ又は前記被印字テープのテープ属性情報と前記電子ペーパー部のペーパー属性情報とを取得する属性情報取得手段と、
前記属性情報取得手段で取得した前記テープ属性情報に基づき、作成される前記印字付き電子ラベルに含まれる、前記印字手段により印字可能な前記基材テープ又は前記被印字テープの印字可能領域を設定する印字領域設定手段と、
前記属性情報取得手段で取得した前記ペーパー属性情報に基づき、作成される前記印字付き電子ラベルに含まれる、前記電子ペーパー部の領域を決定するペーパー領域決定手段と、
を有し、
前記第１表示手段は、
前記印字領域設定手段により設定された前記印字可能領域における、前記入力操作手段での前記操作入力に対応した前記印字イメージを表示し、
前記第２表示手段は、
前記ペーパー領域決定手段により決定された前記電子ペーパー部の領域における、前記入力操作手段での前記操作入力に対応した前記情報表示イメージを表示する
ことを特徴とする印字電子ラベル編集装置。
【請求項３】
請求項１又は請求項２記載の印字電子ラベル編集装置において、
前記印字領域設定手段は、
前記印字付き電子ラベルの平面視において前記電子ペーパー部と重ならないように前記印字可能領域を設定する
ことを特徴とする印字電子ラベル編集装置。
【請求項４】
請求項１又は請求項２記載の印字電子ラベル編集装置において、
前記印字領域設定手段は、
前記印字可能領域の一部が前記印字付き電子ラベルの平面視において前記電子ペーパー部と重なるように、当該印字可能領域を設定する
ことを特徴とする印字電子ラベル編集装置。
【請求項５】
請求項３又は請求項４記載の印字電子ラベル編集装置において、
前記入力操作手段により操作入力された文字情報の一部を前記印字可能領域へ印字するための印字データとし、前記文字情報の残りを前記電子ペーパー部へ表示するための表示データとする、情報振り分け手段と、
前記情報振り分け手段により振り分けられた前記印字データ及び前記表示データを、前記印字手段及び前記電界印加手段を備えた印字電子ラベル作成装置へ出力する信号出力手段と
を有し、
前記第１表示手段は、
前記情報振り分け手段により振り分けられた前記印字データに対応した前記印字イメージを前記印字可能領域において表示し、
前記第２表示手段は、
前記情報振り分け手段により振り分けられた前記表示データに対応した前記情報表示イメージを前記電子ペーパー部の領域において表示する
ことを特徴とする印字電子ラベル編集装置。
【請求項６】
請求項５記載の印字電子ラベル編集装置において、
前記入力操作手段により操作入力された文字情報を取得するとともに、取得した文字情報に含まれる、印字データとすべき部分と表示データとすべき部分とを識別する識別手段を有し、
前記情報振り分け手段は、
前記識別手段の識別結果に応じ、前記印字データと前記表示データとの振り分けを行う
ことを特徴とする印字電子ラベル編集装置。
【請求項７】
請求項２乃至請求項６のいずれか１項記載の印字電子ラベル編集装置において、
前記第１表示手段及び前記第２表示手段において表示された前記印字イメージ及び前記情報表示イメージを操作者が移動操作するための移動操作手段と、
前記移動操作手段により、前記情報表示イメージを前記電子ペーパー部の領域の外へ移動させる操作があった場合、当該移動操作を無効化する移動無効化手段と
を有することを特徴とする印字電子ラベル編集装置。
【発明の詳細な説明】
【技術分野】
【０００１】
本発明は、印字により固定的に表記したい内容と電子ペーパー部により可変に表記したい内容とを編集する印字電子ラベル編集装置に関する。
【背景技術】
【０００２】
電界印加により所望の情報表示が可能である、いわゆる電子ペーパーが既に知られている。従来、この電子ペーパーを用いた電子ラベルを物品に添付して物品管理を行う手法が既に知られている（例えば、特許文献１参照）。
【０００３】
この従来技術では、電子ラベルを、キャビネットに収納された複数のファイルそれぞれに設けて、ファイルの管理を行う。電子ラベルは、基板と、この基板の大部分を占めるように設けられた電子ペーパーからなる表示部と、表示部の制御を行う表示制御部とを備えている。表示部を構成する電子ペーパーは、表示制御部から出力される制御信号に応じて、電子ラベルが貼り付けられたファイルのファイル名等を表示する。表示部に電子ペーパーを用いることにより、ラベルが作成された後においても、電子ラベルに表示させる情報を任意に変更することができる。
【先行技術文献】
【特許文献】
【０００４】
【特許文献１】特開２００７−８７１５１号公報
【発明の概要】
【発明が解決しようとする課題】
【０００５】
上記従来技術では、各キャビネットへの収納状態では、各電子ラベルの電子ペーパーにはファイル名は表示されておらず、使用者がファイルを使用する際に、表示制御部の制御により電子ペーパーにファイル名が表示されるようになっている。すなわち、電子ラベルの大部分の領域に電子ペーパーを設け、電子ラベルにおける表示のすべてを、電子ペーパーによって行っている。
【０００６】
しかしながら、現実にラベルを用いる場合、必ずしも、ラベルに表記するすべての情報が可変である必要はない場合が多い。すなわち、電子ペーパーを用いて可変に表記したい情報がある一方で、特に可変である必要はなく固定的に表記したい情報もあるのが一般的である。上記従来技術では、電子ラベルの表示のすべてを電子ペーパーによって行うので、本来固定的に表記したい情報についても電子ペーパーで表示することになる。この結果、固定的に表記したい情報の保持の信頼性を高めるのが困難となっていた。
【０００７】
そして、上記のようなラベルを作成する際に、上記固定的に表記したい情報や上記可変に表記したい情報等を含むラベルイメージとして表示させ、操作者がその表示を見ながら所望のラベルを作成するための編集操作ができれば非常に便利である。上記従来技術ではそのようなことについて特に配慮されていなかった。
【０００８】
本発明の目的は、固定的に表記したい情報の保持の信頼性を高めることができる一方で、ラベル作成後における情報変更の実行を確保することができる印字電子ラベル編集装置を提供することにある。
【課題を解決するための手段】
【０００９】
上記目的を達成するために、第１の発明は、電界印加により所望の情報表示が可能であるとともに電界印加停止後も情報表示状態を保持可能な電子ペーパー部をテープ長手方向に連続的に又は断続的に配置した基材テープ、又は、前記基材テープに貼り合わせる被印字テープ、に対して印字手段によって所望の印字を行うとともに、前記電子ペーパー部に対して電界印加手段によって電界を印加し所望の情報表示を行わせ、印字付き電子ラベルを作成するための印字電子ラベル編集装置であって、作成される前記印字付き電子ラベルに含まれる前記基材テープ又は前記被印字テープにおける、前記印字手段による印字イメージを表示する第１表示手段と、作成される前記印字付き電子ラベルに含まれる前記電子ペーパー部における、前記電界印加手段の前記電界の印加による情報表示イメージを表示する第２表示手段と、前記印字手段による印字内容、及び、前記電子ペーパー部における情報表示内容、を操作者が操作入力するための入力操作手段と、を有することを特徴とする。
【００１０】
本願第１発明の印字電子ラベル編集装置は、操作者が印字電子ラベル作成装置を用いて電子ペーパーを備えた印字電子ラベルを作成する際に、印字により固定的に表記したい内容と電子ペーパー部により可変に表記したい内容とを、操作者が所望に編集するためのものである。操作者が入力操作手段を用いて、印字付き電子ラベルにおいて印字で表記したい内容を操作入力すると、印字電子ラベル作成装置の印字手段が基材テープ又は被印字テープに対して実行する印字イメージが、第１表示手段により表示される。同様に、操作者が入力操作手段を用いて、印字付き電子ラベルにおいて電子ペーパー部により表記したい内容を操作入力すると、基材テープに配置された電子ペーパー部に対し印字電子ラベル作成装置の電界印加手段が電界を印加し情報表示を行わせる情報表示イメージが、第２表示手段により表示される。これにより、操作者は、作成される印字付き電子ラベルの姿を視覚的に確認しつつ、印字により固定的に表記される内容と電子ペーパー部により可変に表記される内容とを、所望の態様に設定することができる。
【００１１】
この結果、操作者は、容易かつ円滑に、印字電子ラベル作成装置により印字付き電子ラベルを作成することができる。その際、印字を備えずすべての情報を電子ペーパーによって表記するラベルに比べて、固定的に表記したい情報の保持の信頼性を高めることができる一方で、ラベル作成後における情報変更の実行を確保することができる。
【００１２】
第２の発明は、上記第１発明において、カートリッジホルダを用いて設置された印字電子ラベル用カートリッジに備えられた前記基材テープ又は前記被印字テープのテープ属性情報と前記電子ペーパー部のペーパー属性情報とを取得する属性情報取得手段と、前記属性情報取得手段で取得した前記テープ属性情報に基づき、作成される前記印字付き電子ラベルに含まれる、前記印字手段により印字可能な前記基材テープ又は前記被印字テープの印字可能領域を設定する印字領域設定手段と、前記属性情報取得手段で取得した前記ペーパー属性情報に基づき、作成される前記印字付き電子ラベルに含まれる、前記電子ペーパー部の領域を決定するペーパー領域決定手段と、を有し、前記第１表示手段は、前記印字領域設定手段により設定された前記印字可能領域における、前記入力操作手段での前記操作入力に対応した前記印字イメージを表示し、前記第２表示手段は、前記ペーパー領域決定手段により決定された前記電子ペーパー部の領域における、前記入力操作手段での前記操作入力に対応した前記情報表示イメージを表示することを特徴とする。
【００１３】
本願第２発明は、基材テープ又は被印字テープのテープ幅・テープ厚さ等のテープ属性が互いに異なったり、電子ペーパー部の長さ、幅、配置ピッチ等のペーパー属性が互いに異なる、複数種類の印字電子ラベル用カートリッジに対応している。すなわち、属性情報取得手段で取得したテープ属性情報やペーパー属性情報に応じて、第１表示手段が印字可能領域において印字イメージを表示し、第２表示手段が電子ペーパー部の領域において情報表示イメージを表示する。これにより、複数種類の印字電子ラベル用カートリッジを交換しつつ用いる場合であっても、カートリッジホルダに装着したカートリッジに対応した、印字イメージ及び情報表示イメージを表示することができる。
【００１４】
第３の発明は、上記第１又は第２発明において、前記印字領域設定手段は、前記印字付き電子ラベルの平面視において前記電子ペーパー部と重ならないように前記印字可能領域を設定することを特徴とする。
【００１５】
これにより、印字により固定的に表記される情報の表記領域と、電子ペーパー部により可変に表記される情報の表記領域とが、明確に区別されるラベルを、容易に作成することができる。
【００１６】
第４の発明は、上記第１又は第２発明において、前記印字領域設定手段は、前記印字可能領域の一部が前記印字付き電子ラベルの平面視において前記電子ペーパー部と重なるように、当該印字可能領域を設定することを特徴とする。
【００１７】
これにより、印字により固定的に表記される情報の表記領域と、電子ペーパー部により可変に表記される情報の表記領域とが、一部重なるラベルを、容易に作成することができる。これにより、例えば、印字で表記される情報と電子ペーパー部で表記される情報との間を接近させ一体感を増加させた態様や、それらの情報を重ねるような態様での、ラベル表記を実現することができ、表現力や演出性を向上することができる。さらに、ユーザに対し内容を固定的に報知する情報で印字で表記されるべき情報について、敢えて電子ペーパー部で表記することで、万が一の情報変更に備えたり、ユーザに対し内容を可変で報知する情報と一緒に取り扱えるようにすることも可能となる。これらの結果、ユーザの使用する情報の性質や好み等に応じて、印字による表記と電子ペーパーによる表記との多種多様な使い分けが可能となり、利便性が向上する。
【００１８】
第５の発明は、上記第３又は第４発明において、前記入力操作手段により操作入力された文字情報の一部を前記印字可能領域へ印字するための印字データとし、前記文字情報の残りを前記電子ペーパー部へ表示するための表示データとする、情報振り分け手段と、前記情報振り分け手段により振り分けられた前記印字データ及び前記表示データを、前記印字手段及び前記電界印加手段を備えた印字電子ラベル作成装置へ出力する信号出力手段とを有し、前記第１表示手段は、前記情報振り分け手段により振り分けられた前記印字データに対応した前記印字イメージを前記印字可能領域において表示し、前記第２表示手段は、前記情報振り分け手段により振り分けられた前記表示データに対応した前記情報表示イメージを前記電子ペーパー部の領域において表示することを特徴とする。
【００１９】
本願第５発明においては、操作者が入力操作手段を介して文字情報を操作入力すると、当該文字情報を情報振り分け手段が印字データと表示データとに振り分け、信号出力手段がその振り分けられた印字データ及び表示データを印字電子ラベル作成装置に出力する。これにより、操作者が一連の情報として操作入力した文字情報のうち、印字で表記する部分と、電子ペーパー部により可変に表記する部分とを、自在に設定することができる。
【００２０】
第６の発明は、上記第５発明において、前記入力操作手段により操作入力された文字情報を取得するとともに、取得した文字情報に含まれる、印字データとすべき部分と表示データとすべき部分とを識別する識別手段を有し、前記情報振り分け手段は、前記識別手段の識別結果に応じ、前記印字データと前記表示データとの振り分けを行うことを特徴とする。
【００２１】
これにより、操作者が一連の情報として操作入力した文字情報のうち、印字で表記する部分と、電子ペーパー部により可変に表記する部分とを、自動的に振り分けて設定することができる。
【００２２】
第７の発明は、上記第２乃至第６発明のいずれかにおいて、前記第１表示手段及び前記第２表示手段において表示された前記印字イメージ及び前記情報表示イメージを操作者が移動操作するための移動操作手段と、前記移動操作手段により、前記情報表示イメージを前記電子ペーパー部の領域の外へ移動させる操作があった場合、当該移動操作を無効化する移動無効化手段とを有することを特徴とする。
【００２３】
本願第７発明においては、移動操作手段が備えられている。これにより、第１表示手段及び第２表示手段上で既に表示されている状態の、印字イメージや情報表示イメージを含む印字付き電子ラベルのレイアウトを、さらに操作者の好み等に合わせて変更することができる。その際、移動無効化手段を設けていることにより、本来、電子ペーパー部により可変に表記するべき内容が、誤って印字可能領域へ移動操作されて印字イメージとして表示されるのを防止することができる。
【発明の効果】
【００２４】
本発明によれば、固定的に表記したい情報の保持の信頼性を高めることができる一方で、ラベル作成後における情報変更の実行を確保することができる。
【図面の簡単な説明】
【００２５】
【図１】本発明の一実施の形態の印字電子ラベル編集装置を備えたラベル生成システムを表すシステム構成図である。
【図２】ラベル作成装置の全体構造を表す斜視図である。
【図３】ラベル作成装置におけるカートリッジ装着部分の詳細構造を模式的に表す拡大平面図である。
【図４】ラベル作成装置の制御系を表す機能ブロック図である。
【図５】ＰＣの表示部の表示の一例を表す説明図である。
【図６】操作者が印字イメージを移動操作した場合の、ＰＣの表示部の表示の一例を表す説明図である。
【図７】操作者が情報表示イメージを移動操作した場合の、ＰＣの表示部の表示の一例を表す説明図である。
【図８】印字付き電子ラベルを作成する際に、ＰＣの制御回路によって実行される制御内容を表すフローチャートである。
【図９】印字付き電子ラベルの外観の一例を表す上面図及び下面図である。
【図１０】印字付き電子ラベルの外観の一例を表す横断面図である。
【図１１】情報表示イメージを電子ペーパー領域の外へ移動させる操作があったら、当該移動操作を無効化する変形例において、操作者が情報表示イメージを電子ペーパー領域の外へ移動させる操作を行った場合の、ＰＣの表示部の表示の一例を表す説明図である。
【図１２】操作入力された文字情報を印字データ及び表示データに振り分ける変形例において、操作者が入力操作部を介し操作入力した文字情報の一例を表す説明図である。
【図１３】ＰＣの表示部の表示の一例を表す説明図である。
【図１４】操作者が印字イメージを移動操作した場合の、ＰＣの表示部の表示の一例を表す説明図である。
【図１５】印字付き電子ラベルを作成する際に、ＰＣの制御回路によって実行される制御内容を表すフローチャートである。
【図１６】印字可能領域の一部が電子ペーパー部と重なる変形例において、ＰＣの表示部の表示の一例を表す説明図である。
【図１７】印字データ及び表示データの編集画面を別々に表示する変形例において、ＰＣの表示部の表示の一例を表す説明図である。
【発明を実施するための形態】
【００２６】
以下、本発明の一実施の形態を図面を参照しつつ説明する。
【００２７】
図１に、本実施形態の印字電子ラベル編集装置を備えたラベル生成システムのシステム構成を示す。
【００２８】
図１において、ラベル生成システムＬＳは、印字電子ラベル作成装置１と、この印字電子ラベル作成装置１と有線あるいは無線による通信回線ＮＷを介して接続されたＰＣ１１８（印字電子ラベル編集装置）とを有している。
【００２９】
印字電子ラベル作成装置１（以下、単に「ラベル作成装置１」と省略する）は、ＰＣ１１８からの操作に基づき、電子ペーパー部Ｅｐ（後述の図３参照）を備えた印字付き電子ラベルＬを作成するための装置である。
【００３０】
ＰＣ１１８は、操作者がラベル作成装置１を用いて印字付き電子ラベルＬ（詳細は後述）を作成する際に、印字により固定的に表記したい内容と、電子ペーパー部Ｅｐにより可変に表記したい内容とを、操作者が所望に編集すること等が可能な装置である。このＰＣ１１８は、液晶ディスプレイ等からなる表示部１１８ａ（第１表示手段、第２表示手段）と、キーボード等からなる入力操作部１１８ｂ（入力操作手段）と、マウス等からなる移動操作部１１８ｃ（移動操作手段）とを有している。
【００３１】
表示部１１８ａは、作成される印字付き電子ラベルＬに含まれる、カバーフィルム１０３（後述の図３参照）における印字イメージＩｍＰ（後述の図５（ｂ）参照）、電子ペーパー部Ｅｐにおける情報表示イメージＩｍＤ（後述の図５（ｃ）参照）等を表示する。
【００３２】
入力操作部１１８ｂは、サーマルヘッド２３（後述の図３参照）によるカバーフィルム１０３への印字内容、及び、電子ペーパー部Ｅｐにおける情報表示内容等を、操作者が操作入力するための入力装置である。
【００３３】
移動操作部１１８ｃは、表示部１１８ａにおいて表示された印字イメージＩｍＰ及び情報表示イメージＩｍＤ等を、操作者が移動操作するための入力装置である。
【００３４】
図２に、ラベル作成装置１の全体構造を示す。
【００３５】
図２において、ラベル作成装置１は、外郭に略六面体（略立方体）形状の筐体２００を有する装置本体２と、この装置本体２の上面に開閉可能（又は着脱可能としてもよい）に設けられた開閉蓋３とを有している。
【００３６】
筐体２００は、装置前方側（図２中左手前側）に位置し、装置本体２内で作成された印字付き電子ラベルＬを外部に排出するラベル排出口１１を備えた前壁１０と、この前壁１０のうちラベル排出口１１の下方に設けられ下端が回動可能に支持された前蓋１２とを備えている。
【００３７】
前蓋１２は、押部１３を備えており、この押部１３を上方より押し込むことで前蓋１２が前方に開放されるようになっている。また、前壁１０の一端部には、ラベル作成装置１の電源のオン・オフを行う電源キー１４が設けられている。この電源キー１４の下方には、装置本体２内に配設された切断機構１５（後述の図３参照）を操作者の手動操作で駆動するためのカッタ駆動キー９０が設けられている。
【００３８】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００３９】
図３に、ラベル作成装置１におけるカートリッジ装着部分の詳細構造を模式的に示す。
【００４０】
図３において、装置本体２内のカートリッジホルダ６には、カートリッジ７（印字電子ラベル用カートリッジ）が設置される。このカートリッジ７は、筐体７Ａと、この筐体７Ａ内に配置された、第１ロール１０２（実際は渦巻き状であるが、図では簡略的に同心円状に示す）、第２ロール１０４（実際は渦巻き状であるが、図では簡略的に同心円状に示す）、リボン供給側ロール２１１、リボン巻取りローラ１０６、及びテープ送りローラ２７とを有する。
【００４１】
第１ロール１０２は、リール部材１０２ａの周りに、帯状の基材テープ１０１を巻回している。基材テープ１０１は、この例では４層構造となっており（図３中部分拡大図参照）、内側に巻かれる側（図３部分拡大図中右側）よりその反対側（図３部分拡大図中左側）へ向かって、適宜の粘着材からなり電子ペーパー部Ｅｐを接着するとともに、後にカバーフィルム１０３を貼り合わせるための粘着剤層１０１ａ、ポリエチレンテレフタラート等からなるテープ基材層１０１ｂ、適宜の粘着材からなる粘着剤層１０１ｃ、剥離紙１０１ｄの順序で積層され構成されている。
【００４２】
剥離紙１０１ｄは、最終的に完成した印字付き電子ラベルＬが所定の商品等の対象物に貼り付けられる際に、これを剥がすことで粘着剤層１０１ｃにより当該対象物に接着できるようにするための紙である。
【００４３】
また、テープ基材層１０１ｂの表面（図３部分拡大図中右側）には、上記粘着剤層１０１ａによって電子ペーパー部Ｅｐが接着されている。電子ペーパー部Ｅｐは、基材テープ１０１のテープ長手方向に所定のピッチで断続的に配置されている。なお、電子ペーパー部Ｅｐを、基材テープ１０１のテープ長手方向に連続的に配置するようにしてもよい。
【００４４】
電子ペーパー部Ｅｐは、例えば複数の電気インク機能を有するマイクロカプセルを備えた、公知の電気泳動方式の電子ペーパーから構成されている。なお、電子ペーパー部Ｅｐとしては、電気泳動方式の電子ペーパーに限られず、その他の方式の電子ペーパー、例えば公知のツイストボール方式等の電子ペーパーから構成されてもよい。この電子ペーパー部Ｅｐは、電界印加により所望の情報表示が可能であるとともに、電界印加停止後も情報表示状態を保持可能に構成されている。
【００４５】
第２ロール１０４は、リール部材１０４ａの周りに、上記基材テープ１０１と略同じ幅である透明なカバーフィルム１０３（被印字テープ）を巻回している。
【００４６】
リボン供給側ロール２１１は、熱転写リボンであるインクリボン１０５（但し被印字テープが感熱テープの場合は不要）を繰り出す。
【００４７】
リボン巻取りローラ１０６は、印字済み（使用済み）のインクリボン１０５を巻き取る。
【００４８】
また、第２ロール１０４より繰り出されるカバーフィルム１０３は、その裏面側（すなわち基材テープ１０１に貼り合わされる側）に配置された上記リボン供給側ロール２１１及びリボン巻取りローラ１０６で駆動されるインクリボン１０５が、装置本体２に備えられるサーマルヘッド２３（印字手段）に押圧されることで当該カバーフィルム１０３の裏面に接触させられるようになっている。
【００４９】
テープ送りローラ２７は、カートリッジ７のテープ排出部３０の近傍に回転可能に支持されている。このテープ送りローラ２７は、上記基材テープ１０１及びカバーフィルム１０３を押圧し接着させ印字済みラベル用テープ１０９としつつ、図３中矢印Ａで示す方向にテープ送りを行う（＝圧着ローラとしても機能する）。
【００５０】
上記リボン巻取りローラ１０６及びテープ送りローラ２７は、それぞれ、カートリッジ７外に設けた例えばパルスモータである搬送用モータ１１９（後述の図４参照）の駆動力が図示しないギヤ機構を介し、カートリッジホルダ６に設けられたリボン巻取りローラ駆動軸１０７及びテープ送りローラ駆動軸１０８に伝達されることによって連動して回転駆動される。なお、上記サーマルヘッド２３は、テープ送りローラ２７よりカバーフィルム１０３の搬送方向上流側に配置されている。
【００５１】
ここで、本実施形態においては、カートリッジホルダ６は、カバーフィルム１０３のテープ幅・テープ厚さ等のテープ属性が互いに異なったり、電子ペーパー部Ｅｐの長さ、幅、配置ピッチ等のペーパー属性が互いに異なったりする、複数種類のカートリッジ７を装着可能に構成されている。これらカートリッジ７の筐体７Ａは、被検出部１９０（例えば凹凸形状等の識別子）を有している。そして、カートリッジホルダ６の当該被検出部１９０に対応する位置には、カートリッジセンサ８１が設けられている。
【００５２】
カートリッジセンサ８１は、カートリッジ７の種類に関するカートリッジ情報を検出するセンサである。このカートリッジセンサ８１の検出信号が制御回路１１０（後述の図４参照）へ入力されることで、制御回路１１０は、上記カートリッジ情報を取得できるようになっている。カートリッジ情報には、カートリッジ７に備えられた、カバーフィルム１０３（又は基材テープ１０１）のテープ幅、テープ厚さ等のテープ属性情報、及び、基材テープ１０１に配置された上記電子ペーパー部Ｅｐの長さ、幅、配置ピッチ（言い換えれば電子ペーパー部Ｅｐと電子ペーパー部Ｅｐとの距離、さらに言い換えれば１つの印字付き電子ラベルＬの長さ）等のペーパー属性情報が含まれている。
【００５３】
なお、カートリッジセンサ８１としては、メカニカルスイッチ等の機械的検出を行うものや、光学的検出を行うセンサ、磁気的検出を行うセンサ等が用いられる。あるいは、カートリッジ７の筐体７Ａにカートリッジ用の無線タグ回路素子を設けておき、リーダ機能を有する検出センサで無線通信を介して無線タグ情報を読み取るようにしてもよい。
【００５４】
上記構成において、カートリッジ７が上記カートリッジホルダ６に装着されると、カバーフィルム１０３及びインクリボン１０５がサーマルヘッド２３とカートリッジホルダ６に設けられたプラテンローラ２６との間に狭持される。またこれと共に、基材テープ１０１及びカバーフィルム１０３がテープ送りローラ２７とカートリッジホルダ６に設けられた圧着ローラ２８との間に狭持される。
【００５５】
その後、上記搬送用モータ１１９の駆動力によってリボン巻取りローラ１０６及びテープ送りローラ２７が図３中矢印Ｂ及び矢印Ｃで示す方向にそれぞれ同期して回転駆動される。このとき、上記テープ送りローラ駆動軸１０８と上記圧着ローラ２８及びプラテンローラ２６とはギヤ機構（図示せず）にて連結されており、テープ送りローラ駆動軸１０８の駆動に伴いテープ送りローラ２７、圧着ローラ２８、及びプラテンローラ２６が回転し、第１ロール１０２から基材テープ１０１が繰り出され、上述のようにテープ送りローラ２７へ供給される。
【００５６】
一方、第２ロール１０４からはカバーフィルム１０３が繰り出されるとともに、印字駆動回路１２０（後述の図４参照）により上記サーマルヘッド２３の複数の発熱素子が通電される。このときカバーフィルム１０３の裏面には、当該裏面側に配置されリボン供給側ロール２１１とリボン巻取りローラ１０６とにより駆動されるインクリボン１０５が、上記サーマルヘッド２３に押圧されて接触させられる。この結果、カバーフィルム１０３の裏面の印字領域Ｓ（後述の図５（ｂ）参照）に対し、所望の印字（鏡像印字）が行われる。
【００５７】
そして、基材テープ１０１と上記印字が終了したカバーフィルム１０３とが上記テープ送りローラ２７及び圧着ローラ２８により接着されて一体化されて上記印字済みラベル用テープ１０９として形成され、上記テープ排出部３０よりカートリッジ７外へと搬出される。また、カバーフィルム１０３への印字が終了したインクリボン１０５は、リボン巻取りローラ駆動軸１０７の駆動によりリボン巻取りローラ１０６に巻取られる。
【００５８】
また、上記サーマルヘッド２３より基材テープ１０１の搬送方向下流側には、電界印加ヘッド２９（電界印加手段）が設けられている。電界印加ヘッド２９には、カバーフィルム１０３を介し電子ペーパー部Ｅｐに接触し図示しない共通電極と挟んだ状態で電子ペーパー部Ｅｐへ電界を印加するための複数の画素電極が、ライン状に配列されている。上記印字が終了した印字済みラベル用テープ１０９が上記テープ排出部３０よりカートリッジ７外へと搬出されると、電界印加駆動回路１２３（後述の図４参照）により電界印加ヘッド２９の画素電極と図示しない共通電極との間へ印加する電圧及び極性が切り替えられ、電界印加ヘッド２９により印字済みラベル用テープ１０９に含まれる電子ペーパー部Ｅｐの情報表示領域Ｓｄ（後述の図５（ｃ）参照）に対し電界が印加される。この結果、電子ペーパー部Ｅｐが備える上記マイクロカプセル内の帯電粒子が電気泳動され、所望の情報をライン状に書き込まれ、電子ペーパー部Ｅｐにおいて、所望の情報表示が行われる。その後、自動的にあるいは上記カッタ駆動キー９０（図２参照）が操作されることにより、サーマルヘッド２３による印字と電界印加ヘッド２９による電界印加とが完了した印字済みラベル用テープ１０９が切断機構１５によって切断され、印字付き電子ラベルＬが生成される。そして、この印字付き電子ラベルＬは、上記ラベル排出口１１（図２参照）から排出される。
【００５９】
図４に、ラベル作成装置１の制御系を表す機能ブロックを示す。
【００６０】
図４において、ラベル作成装置１の制御基板（図示せず）上には、制御回路１１０が配置されている。この制御回路１１０には、各機器を制御するＣＰＵ１１１と、このＣＰＵ１１１にデータバス１１２を介して接続された、入出力インターフェース１１３、ＣＧＲＯＭ１１４、ＲＯＭ１１５，１１６、及びＲＡＭ１１７とが設けられている。
【００６１】
ＲＯＭ１１６には、ラベル作成装置１の制御上必要な各種のプログラムが格納されている。ＣＰＵ１１１は、このようなＲＯＭ１１６に記憶されている各種プログラムに基づいて各種の演算を行う。
【００６２】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された印字データ及び表示データ（共に詳細は後述）が格納される。印字バッファ１１７Ｂには、複数の文字や記号等の印字用ドットパターンがドットパターンデータとして格納され、サーマルヘッド２３はこの印字バッファ１１７Ｂに記憶されているドットパターンデータに従ってドット印字を行う。パラメータ記憶エリア１１７Ｅには、各種演算データ等が記憶される。
【００６３】
入出力インターフェース１１３には、ＰＣ１１８と、上記カートリッジセンサ８１と、上記カッタ駆動キー９０と、上記電源キー１４と、印字駆動回路１２０と、搬送用モータ駆動回路１２１と、カッターモータ駆動回路１２２と、電界印加駆動回路１２３とが接続されている。
【００６４】
ＰＣ１１８は、図示しないＣＰＵ及びＲＡＭ、ＲＯＭ等のメモリを備え、ＰＣ１１８全体の制御を行う制御回路１３０を有する。印字駆動回路１２０は、上記サーマルヘッド２３を駆動する。搬送用モータ駆動回路１２１は、搬送用モータ１１９を駆動することにより、上記テープ送りローラ駆動軸１０８を介しテープ送りローラ２７を駆動する。カッターモータ駆動回路１２２は、カッターモータ４３を駆動することにより、上記切断機構１５を駆動する。電界印加駆動回路１２３は、上記電界印加ヘッド２９を駆動する。
【００６５】
このような制御回路１１０を核とする制御系において、ＰＣ１１８を介して上記印字データ及び表示データ等が入力された場合、これら印字データ及び表示データがテキストメモリ１１７Ａに順次記憶される。そして、サーマルヘッド２３が印字駆動回路１２０を介して駆動され、各発熱素子が１ライン分の印字ドットに対応して選択的に発熱駆動されて印字バッファ１１７Ｂに記憶されたドットパターンデータの印字を行う。その後、電界印加ヘッド２９が電界印加駆動回路１２３を介して駆動され、電子ペーパー部Ｅｐに対し電界の印加を行う。また、これと同期して搬送用モータ１１９が駆動回路１２１を介してテープの搬送制御を行う。
【００６６】
上記構成である本実施形態の最大の特徴は、ＰＣ１１８で印字付き電子ラベルＬに対する印字内容及び情報表示内容を編集する際に、表示部１１８ａに、サーマルヘッド２３による印字イメージＩｍＰと、電界印加ヘッド２９による情報表示イメージＩｍＤとを表示させることにある。
【００６７】
図５（ａ）、図５（ｂ）、及び図５（ｃ）に、ＰＣ１１８の表示部１１８ａの表示の一例を示す。
【００６８】
図５（ａ）に示す例では、表示部１１８ａには、作成される印字付き電子ラベルＬのイメージが、印字可能領域Ｓｐ、及び、電子ペーパー部領域ＳＥｐ（電子ペーパー部の領域）を含めて表示されている。なお、表示部１１８ａにおいて、印字可能領域Ｓｐと電子ペーパー部領域ＳＥｐとを、互いに異なる態様（例えば互いに異なる色彩等）で表示するようにしてもよい。
【００６９】
このとき、作成される印字付き電子ラベルＬの大きさのイメージは、上記カートリッジ情報中のテープ属性情報及びペーパー属性情報に応じて、具体的にはテープ幅の情報及び電子ペーパー部Ｅｐの配置ピッチ（言い換えれば印字付き電子ラベルＬの長さ）の情報に応じて設定され、表示部１１８ａには、その設定されたイメージで表示される。
【００７０】
印字可能領域Ｓｐは、上記カートリッジ情報中の上記テープ属性情報に基づいて設定された、作成される印字付き電子ラベルＬに含まれる、上記サーマルヘッド２３により印字可能なカバーフィルム１０３の領域である。
【００７１】
電子ペーパー部領域ＳＥｐは、上記カートリッジ情報中の上記ペーパー属性情報に基づいて決定された、作成される印字付き電子ラベルＬに含まれる、電子ペーパー部Ｅｐの配置領域である。
【００７２】
本実施形態では、印字可能領域Ｓｐは、作成される印字付き電子ラベルＬの範囲に収まるように、かつ当該印字付き電子ラベルＬの平面視において電子ペーパー部Ｅｐと重ならないように設定される。したがって、電子ペーパー部領域ＳＥｐ内の範囲（斜線で示す範囲）は、印字可能領域Ｓｐとして設定されない。
【００７３】
この図５（ａ）の状態において、操作者が上記入力操作部１１８ｂを介し、印字可能領域Ｓｐへ印字するための印字データを操作入力すると、図５（ｂ）に示すように、表示部１１８ａ上で既に表示されている、作成される印字付き電子ラベルＬの印字可能領域Ｓｐ内に、印字データに対応した印字イメージＩｍＰ及び印字領域Ｓが表示される。
【００７４】
図５（ｂ）に示す例では、表示部１１８ａには、作成される印字付き電子ラベルＬのイメージが、上記印字可能領域Ｓｐ、上記電子ペーパー部領域ＳＥｐ、印字イメージＩｍＰ（この例では「ｐｒｉｃｅ」）、及び、当該印字イメージＩｍＰに対応した印字領域Ｓを含めて表示されている。なお、印字領域Ｓを表示しないようにしてもよい。
【００７５】
図５（ｂ）に示すように、これら印字イメージＩｍＰ及び印字領域Ｓは、既に表示されている印字可能領域Ｓｐ内において表示される。
【００７６】
印字イメージＩｍＰは、上記操作入力された印字データに対応した、上記サーマルヘッド２３による印字のイメージである。この印字イメージＩｍＰは、印字可能領域Ｓｐ内において移動させることができ、当該印字可能領域Ｓｐの外（すなわち電子ペーパー部領域ＳＥｐ内）へ移動させることはできないようになっている。
【００７７】
印字領域Ｓは、作成される印字付き電子ラベルＬに含まれる、カバーフィルム１０３において印字が行われる領域、言い換えれば印字により固定的に表記される情報（印字データ）の表記領域である。なお、印字領域Ｓは、印字データ中に含まれる文字情報の数等に応じて、その大きさが異なるようになっている。すなわち、印字データ中の文字情報が多い場合には、当該印字データに対応した印字イメージＩｍＰを含む印字領域Ｓは、その分大きくなる（例えば横長となる）。一方、印字データ中の文字情報が少ない場合には、当該印字データに対応した印字イメージＩｍＰを含む印字領域Ｓは、その分小さくなる。
【００７８】
この図５（ｂ）の状態において、操作者が上記入力操作部１１８ｂを介し、電子ペーパー部Ｅｐへ表示するための表示データを操作入力すると、図５（ｃ）に示すように、表示部１１８ａ上で既に表示されている、作成される印字付き電子ラベルＬの電子ペーパー部領域ＳＥｐ内に、表示データに対応した情報表示イメージＩｍＤ及び情報表示領域Ｓｄが表示される。
【００７９】
図５（ｃ）に示す例では、表示部１１８ａには、作成される印字付き電子ラベルＬのイメージが、上記印字可能領域Ｓｐ、上記電子ペーパー部領域ＳＥｐ、上記印字イメージＩｍＰ、上記印字領域Ｓ、情報表示イメージＩｍＤ（この例では「￥２５００」）、及び、当該情報表示イメージＩｍＤに対応した情報表示領域Ｓｄを含めて表示されている。なお、表示部１１８ａにおいて、印字イメージＩｍＰや印字領域Ｓと、情報表示イメージＩｍＤや情報表示領域Ｓｄとを、互いに異なる態様（例えば互いに異なる色彩等）で表示するようにしてもよい。また、情報表示領域Ｓｄを表示しないようにしてもよい。
【００８０】
図５（ｃ）に示すように、情報表示イメージＩｍＤ及び情報表示領域Ｓｄは、既に表示されている電子ペーパー部領域ＳＥｐ内において表示される。
【００８１】
情報表示イメージＩｍＤは、上記操作入力された表示データに対応した、上記電界印加ヘッド２９の電界の印加による情報表示のイメージである。この情報表示イメージＩｍＤは、電子ペーパー部領域ＳＥｐ内において移動させることができ、当該電子ペーパー部領域ＳＥｐの外（すなわち印字可能領域Ｓｐ内）へ移動させることはできないようになっている。
【００８２】
情報表示領域Ｓｄは、作成される印字付き電子ラベルＬに含まれる、電子ペーパー部Ｅｐにおいて情報表示が行われる領域、言い換えれば電子ペーパー部Ｅｐにより可変に表記される情報（表示データ）の表記領域である。なお、情報表示領域Ｓｄも、上記印字領域Ｓと同様に、表示データ中に含まれる文字情報の数等に応じて、その大きさが異なるようになっている。
【００８３】
図６に、操作者が印字イメージＩｍＰを移動操作した場合のＰＣ１１８の表示部１１８ａの表示の一例を示す。
【００８４】
図６に示すように、操作者が上記移動操作部１１８ｃを介し、表示部１１８ａに表示されている印字イメージＩｍＰを、印字可能領域Ｓｐ内において移動させる（この例では印字可能領域Ｓｐ内において図示下側に移動させる）操作を行った場合がある。この場合には、印字イメージＩｍＰは、当該移動操作に応じて、印字可能領域Ｓｐ内において移動される。
【００８５】
図７に、操作者が情報表示イメージＩｍＤを移動操作した場合のＰＣ１１８の表示部１１８ａの表示の一例を示す。
【００８６】
図７に示すように、操作者が上記移動操作部１１８ｃを介し、表示部１１８ａに表示されている情報表示イメージＩｍＤを、電子ペーパー部領域ＳＥｐ内において移動させる（この例では電子ペーパー部領域ＳＥｐ内において図示左側に移動させる）操作を行った場合がある。この場合には、情報表示イメージＩｍＤは、当該移動操作に応じて、電子ペーパー部領域ＳＥｐ内において移動される。
【００８７】
図８に、上記構成であるラベル生成システムＬＳにおいて印字付き電子ラベルＬを作成する際に、ＰＣ１１８の制御回路１３０によって実行される制御内容を示す。なお、制御回路１３０は、例えば操作者により適宜のラベル編集開始指示の操作入力が行われた際に、このフローを開始する（「ＳＴＡＲＴ」位置）。
【００８８】
図８において、まずステップＳ１０で、制御回路１３０は、ラベル作成装置１の上記カートリッジセンサ８１により検出され、上記制御回路１１０により取得されたカートリッジ情報を、通信回線ＮＷを介して入力する。なお、このカートリッジ情報には、前述したように、上記カートリッジホルダ６を用いて設定されたカートリッジ７に備えられた、カバーフィルム１０３（又は基材テープ１０１）のテープ幅、テープ厚さ等のテープ属性情報と、基材テープ１０１に配置された上記電子ペーパー部Ｅｐの長さ、幅、配置ピッチ等のペーパー属性情報とが含まれている。すなわち、このステップＳ１０の手順が、各請求項記載の属性情報取得手段として機能する。
【００８９】
その後、ステップＳ２０で、制御回路１３０は、上記ステップＳ１０で取得したカートリッジ情報中のテープ属性情報に基づき、作成される印字付き電子ラベルＬの範囲に収まるように、かつ当該印字付き電子ラベルＬの平面視において電子ペーパー部Ｅｐと重ならないように、上記印字可能領域Ｓｐを決定する。なお、このステップＳ２０の手順が、各請求項記載の印字領域設定手段として機能する。
【００９０】
そして、ステップＳ３０に移り、制御回路１３０は、上記ステップＳ１０で取得したカートリッジ情報中のペーパー属性情報に基づき、上記電子ペーパー部領域ＳＥｐを決定する。なお、このステップＳ３０の手順が、各請求項記載のペーパー領域設定手段として機能する。
【００９１】
その後、ステップＳ４０で、制御回路１３０は、表示部１１８ａに表示信号を出力し、作成される印字付き電子ラベルＬのイメージ表示を行う（図５（ａ）参照）。この表示には、印字付き電子ラベルＬ、上記ステップＳ２０で設定した印字可能領域Ｓｐ、及び、上記ステップＳ３０で決定した電子ペーパー部領域ＳＥｐが含まれる。なお、このとき、作成される印字付き電子ラベルＬの大きさのイメージを、上記ステップＳ１０で取得したカートリッジ情報中のテープ属性情報及びペーパー属性情報に応じて、具体的には、テープ幅の情報及び電子ペーパー部Ｅｐの配置ピッチ（言い換えれば印字付き電子ラベルＬの長さ）の情報に応じて設定し、その設定したイメージを、表示部１１８ａに表示させる。
【００９２】
そして、ステップＳ５０に移り、制御回路１３０は、操作者により上記入力操作部１１８ｂを介して操作入力された印字データを取得する。
【００９３】
その後、ステップＳ６０で、制御回路１３０は、上記ステップＳ５０で取得した印字データに対応した上記印字イメージＩｍＰを決定し、当該印字イメージＩｍＰに応じて上記印字領域Ｓを決定する。そして、制御回路１３０は、表示部１１８ａに表示信号を出力し、上記決定した印字イメージＩｍＰ及び印字領域Ｓを、上記ステップＳ２０で設定した印字可能領域Ｓｐにおいて表示させる（図５（ｂ）参照）。言い換えれば、表示部１１８ａに表示信号を出力し、上記ステップＳ２０で設定された印字可能領域Ｓｐにおける、上記決定した印字イメージＩｍＰ及び印字領域Ｓを表示させる。
【００９４】
そして、ステップＳ７０に移り、制御回路１３０は、操作者により上記入力操作部１１８ｂを介して操作入力された表示データを取得する。
【００９５】
その後、ステップＳ８０で、制御回路１３０は、上記ステップＳ７０で取得した表示データに対応した上記情報表示イメージＩｍＤを決定し、当該情報表示イメージＩｍＤに応じて上記情報表示領域Ｓｄを決定する。そして、表示部１１８ａに表示信号を出力し、上記決定した情報表示イメージＩｍＤ及び情報表示領域Ｓｄを、上記ステップＳ３０で決定した電子ペーパー部領域ＳＥｐにおいて表示させる（図５（ｃ）参照）。言い換えれば、表示部１１８ａに表示信号を出力し、上記ステップＳ３０で決定された電子ペーパー部領域ＳＥｐにおける、上記決定した情報表示イメージＩｍＤ及び情報表示領域Ｓｄを表示させる。
【００９６】
そして、ステップＳ９０に移り、制御回路１３０は、操作者による印字内容や情報表示内容の編集（印字データや表示データの編集、印字イメージＩｍＰや情報表示イメージＩｍＤの移動等）が終了したか否かを、例えば操作部１１８ｂ，１１８ｃからラベル作成開始指示の操作信号が入力されたか否かによって判定する。印字内容や情報表示内容の編集が終了していない場合、すなわちラベル作成開始指示の操作信号が入力されていない場合には、ステップＳ９０の判定が満たされず、ステップＳ１００に移る。
【００９７】
ステップＳ１００では、制御回路１３０は、表示部１１８ａに表示信号を出力し、操作者による上記印字内容や情報表示内容の編集内容に応じて、上記印字イメージＩｍＰ、印字領域Ｓ、情報表示イメージＩｍＤ、及び、情報表示領域Ｓｄ等の再設定を行い、作成される印字付き電子ラベルＬのイメージの再表示を行う。その後、ステップＳ９０に戻り、同様の手順を繰り返す。
【００９８】
一方、ステップＳ９０において、印字内容や情報表示内容の編集が終了していた場合、すなわちラベル作成開始指示の操作信号が入力された場合には、ステップＳ９０の判定が満たされて、ステップＳ１１０に移る。
【００９９】
ステップＳ１１０では、制御回路１３０は、上記ステップＳ５０で取得された印字データ（編集があった場合には編集後の印字データ）、上記ステップＳ７０で取得された表示データ（編集があった場合には編集後の表示データ）、印字領域Ｓの配置情報、及び、情報表示領域Ｓｄの配置情報等を含むラベル作成情報を作成する。そして、作成したラベル作成情報を通信回線ＮＷを介してラベル作成装置１の制御回路１１０に出力する。以上により、このフローを終了する。
【０１００】
なお、上記では、印字データを取得した後、表示データを取得するような順番で説明したが、これに限られず、表示データを取得した後、印字データを取得するような順番であってもよい。この場合には、ステップＳ４０の手順を実行した後、ステップＳ７０及びステップＳ８０の手順を実行し、その後、ステップＳ５０及びステップＳ６０の手順を実行するようにすればよい。
【０１０１】
図９（ａ）、図９（ｂ）、及び図１０に、上記図８のステップＳ１１０において制御回路１３０から出力されたラベル作成情報に基づき、ラベル作成装置１で作成された印字付き電子ラベルＬの外観の一例を示す。
【０１０２】
図９（ａ）、図９（ｂ）、及び図１０において、印字付き電子ラベルＬは、前述の図３で示した基材テープ１０１に、カバーフィルム１０３を貼り合わせた５層構造（電子ペーパー部Ｅｐが配置された部分は当該電子ペーパー部Ｅｐを含めると６層構造）となっている。テープ基材層１０１ｂの表面には、前述したように、粘着剤層１０１ａによって接着された電子ペーパー部Ｅｐが配置されている。
【０１０３】
カバーフィルム１０３の裏面の上記印字領域Ｓには、上記印字データに対応した印字Ｒ（この例では「＊＊＊＊＊商品価格」の文字）が鏡像印字により印字されている。また、電子ペーパー部Ｅｐの上記情報表示領域Ｓｄには、上記表示データに対応した情報表示Ｄ（この例では「９８０円」の文字）が表示されている。
【０１０４】
以上説明したように、本実施形態のＰＣ１１８においては、操作者が入力操作部１１８ｂを用いて、印字付き電子ラベルＬにおいて印字で表記したい内容を操作入力すると、ラベル作成装置１のサーマルヘッド２３がカバーフィルム１０３に対して実行する印字イメージＩｍＰが、表示部１１８ａにより表示される（図５（ｂ）参照）。同様に、操作者が入力操作部１１８ｂを用いて、印字付き電子ラベルＬにおいて電子ペーパー部Ｅｐにより表記したい内容を操作入力すると、ラベル作成装置１の電界印加ヘッド２９が電子ペーパー部Ｅｐに対し電界を印加し情報表示を行わせる情報表示イメージＩｍＤが、表示部１１８ａにより表示される（図５（ｃ）を参照）。これにより、操作者は、作成される印字付き電子ラベルＬの姿を視覚的に確認しつつ、印字により固定的に表記される内容と電子ペーパー部Ｅｐにより可変に表記される内容とを、所望の態様に設定することができる。
【０１０５】
この結果、操作者は、容易かつ円滑に、ラベル作成装置１により印字付き電子ラベルＬを作成することができる。その際、印字を備えず、すべての情報を電子ペーパーによって表記するラベルに比べて、固定的に表記したい情報の保持の信頼性を高めることができる一方で、ラベル作成後における情報変更の実行を確保することができる。
【０１０６】
また、本実施形態では特に、制御回路１３０は、カートリッジホルダ６に装着されたカートリッジ７のカートリッジ情報（テープ属性情報及びペーパー属性情報を含む）を取得する。その後、その取得したカートリッジ情報に含まれるテープ属性情報に基づき、印字可能領域Ｓｐを設定し、上記取得したカートリッジ情報に含まれるペーパー属性情報に基づき、電子ペーパー部領域ＳＥｐを決定する。表示部１１８ａは、上記設定された印字可能領域Ｓｐにおける、入力操作部１１８ｂでの操作入力に対応した印字イメージＩｍＰを表示するとともに、上記決定された電子ペーパー領域ＳＥｐにおける、操作部１１８ｂでの操作入力に対応した情報表示イメージＩｍＤを表示する。これにより、複数種類のカートリッジ７を交換しつつ用いる場合であっても、カートリッジホルダ６に装着したカートリッジ７に対応した、印字イメージＩｍＰ及び情報表示イメージＩｍＤを表示することができる。
【０１０７】
また、本実施形態では特に、制御回路１３０は、印字付き電子ラベルＬの平面視において電子ペーパー部Ｅｐと重ならないように印字可能領域Ｓｐを設定する。これにより、印字により固定的に表記される情報の表記領域と、電子ペーパー部Ｅｐにより可変に表記される情報の表記領域とが、明確に区別されるラベルを、容易に作成することができる。
【０１０８】
なお、本発明は、上記実施形態に限られるものではなく、その趣旨及び技術的思想を逸脱しない範囲内で種々の変形が可能である。以下、そのような変形例を順を追って説明する。
【０１０９】
（１）情報表示イメージを電子ペーパー領域の外へ移動させる操作があったら、当該移動操作を無効化する場合
すなわち、表示部１１８ａに表示されている情報表示イメージＩｍＤを、上記移動操作部１１８ｃにより、電子ペーパー領域ＳＥｐの外へ移動させる操作があった場合には、当該移動操作を無効化するようにしてもよい。
【０１１０】
図１１に、操作者が情報表示イメージＩｍＤを電子ペーパー領域ＳＥｐの外へ移動させる操作を行った場合のＰＣ１１８の表示部１１８ａの表示の一例を示す。
【０１１１】
図１１に示すように、操作者が上記移動操作部１１８ｃを介し、表示部１１８ａに表示されている情報表示イメージＩｍＤを、電子ペーパー部領域ＳＥｐの外へ移動させる（この例では図示上側に移動させ印字可能領域Ｓｐ内に移動させる）操作を行った場合がある。この場合には、情報表示イメージＩｍＤは、当該移動操作に応じて、電子ペーパー部領域ＳＥｐの外へ一旦移動されるが、すぐに移動前の元の電子ペーパー部領域ＳＥｐ内の位置に戻される。
【０１１２】
すなわち、移動操作部１１８ｃにより、情報表示イメージＩｍＤを電子ペーパー部領域ＳＥｐの外へ移動させる操作があった場合、ＰＣ１１８の制御回路１３０は、当該移動操作を無効化し、当該情報表示イメージＩｍＤを移動前の元の位置に戻しているのである。このときに、制御回路１３０によって実行される制御手順が、各請求項記載の移動無効化手段として機能する。なお、上記移動操作を無効化し、当該情報表示イメージＩｍＤを最初から移動させないようにしてもよい。
【０１１３】
以上のように、本変形例のＰＣ１１８には、移動操作部１１８ｃが備えられている。これにより、表示部１１８ａで既に表示されている状態の、印字イメージＩｍＰや情報表示イメージＩｍＤを含む印字付き電子ラベルＬのレイアウトを、さらに操作者の好み等に合わせて変更することができる。その際、上記移動操作部１１８ｃを用いて、情報表示イメージＩｍＤを電子ペーパー部領域ＳＥｐの外へ移動させる操作があった場合、当該移動操作を無効化することにより、本来、電子ペーパー部Ｅｐにより可変に表記するべき内容が、誤って印字可能領域Ｓｐへ移動操作されて印字イメージＩｍＰとして表示されるのを防止することができる。
【０１１４】
（２）操作入力された文字情報を印字データ及び表示データに振り分ける場合
上記実施形態においては、操作者は入力操作部１１８ｂを介して、カバーフィルム１０３の印字可能領域Ｓｐへ印字するための印字データと、電子ペーパー部Ｅｐへ印字するための表示データとを、別々に操作入力していたが、これに限られない。すなわち、操作者が入力操作部１１８ｂを介して操作入力した文字情報を、印字データと表示データとに振り分けるようにしてもよい。
【０１１５】
本変形例においては、操作者が上記入力操作部１１８ｂを介し、所望の文字情報を操作入力すると、制御回路１３０は、当該操作入力された文字情報を取得するとともに、当該文字情報に含まれる、印字データとすべき部分と表示データとすべき部分との識別を行う。詳細には、取得した文字情報に含まれる、数字、及び、当該数字に関連する単位等の部分を、表示データとすべき部分として識別し、残りの部分を、印字データとすべき部分として識別する。その後、その表示データとすべき部分と印字データとすべき部分との識別結果に応じて、印字データと表示データとの振り分けを行う。
【０１１６】
図１２に、操作者が入力操作部１１８ｂを介し操作入力した文字情報の一例を示す。
【０１１７】
図１２において、操作者が上記入力操作部１１８ｂを介し所望の文字情報（この例では「価格２５００円」）を操作入力した場合がある。この場合には、図１２に示すように、当該文字情報「価格２５００円」に含まれる、数字「２５００」、及び、当該数字に関連する単位「円」の部分が表示データとすべき部分として識別され、残りの「価格」の部分が印字データとすべき部分として識別される。そして、上記のような識別結果に応じて、文字情報「価格２５００円」に含まれる、「価格」の部分が印字データ、「２５００円」の部分が表示データと振り分けられる。
【０１１８】
そして、上記のようにして印字データ及び表示データが振り分けられたら、表示部１１８ａ上で既に表示されている、作成される印字付き電子ラベルＬの印字可能領域Ｓｐ内に、上記振り分けられた印字データに対応した印字イメージＩｍＰ及び印字領域Ｓが表示される。またこれと共に、作成される印字付き電子ラベルＬの電子ペーパー部領域ＳＥｐ内に、上記振り分けられた表示データに対応した情報表示イメージＩｍＤ及び情報表示領域Ｓｄが表示される。
【０１１９】
図１３に、ＰＣ１１８の表示部１１８ａの表示の一例を示す。
【０１２０】
図１３に示す例では、表示部１１８ａには、作成される印字付き電子ラベルＬのイメージが、印字可能領域Ｓｐ、電子ペーパー部領域ＳＥｐ、上記振り分けられた印字データに対応した印字イメージＩｍＰ（この例では「価格」）、印字領域Ｓ、上記振り分けられた表示データに対応した情報表示イメージＩｍＤ（この例では「２５００円」）、及び、情報表示領域Ｓｄを含めて表示されている。
【０１２１】
図１３に示すように、印字イメージＩｍＰ（「価格」）は、既に表示されている印字可能領域Ｓｐ内において表示され、情報表示イメージＩｍＤ（「２５００円」）は、既に表示されている電子ペーパー部領域ＳＥｐ内において表示されている。なお、上記実施形態と同様に、印字イメージＩｍＰは、印字可能領域Ｓｐ内において移動させることができ、当該印字可能領域Ｓｐの外（すなわち電子ペーパー部領域ＳＥｐ内）へ移動させることはできないようになっている。情報表示イメージＩｍＤは、電子ペーパー部領域ＳＥｐ内において移動させることができ、当該電子ペーパー部領域ＳＥｐの外（すなわち印字可能領域Ｓｐ内）へ移動させることはできないようになっている。
【０１２２】
図１４に、本変形例において、操作者が印字イメージＩｍＰを移動操作した場合のＰＣ１１８の表示部１１８ａの表示の一例を示す。
【０１２３】
図１４に示すように、操作者が上記移動操作部１１８ｃを介し、表示部１１８ａに表示されている印字イメージＩｍＰを、印字可能領域Ｓｐ内において移動させる（この例では印字可能領域Ｓｐ内において図示右上側に移動させる）操作を行った場合がある。この場合には、印字イメージＩｍＰは、当該移動操作に応じて、印字可能領域Ｓｐ内において移動される（この例では印字可能領域Ｓｐ内において図示右上側に移動される）。また、情報表示イメージＩｍＤも、上記印字イメージＩｍＰの移動に対応して、電子ペーパー領域Ｓｄ内において移動される（この例では電子ペーパー領域Ｓｄ内において図示上側に移動される）。
【０１２４】
図１５に、本変形例のラベル生成システムＬＳにおいて印字付き電子ラベルＬを作成する際に、ＰＣ１１８の制御回路１３０によって実行される制御内容を示す。なお、この図１５は、前述の図８に対応する図である。図８と同等の手順には同一の符号を付し、適宜説明を省略する。
【０１２５】
図１５において、前述の図８と異なる点は、ステップＳ５０、ステップＳ６０、ステップＳ７０、ステップＳ８０、及びステップＳ１１０に代えて、ステップＳ５５、ステップＳ６５、ステップＳ７５、ステップＳ８５、及びステップＳ１１０′を設けた点である。すなわち、ステップＳ４０において、作成される印字付き電子ラベルＬのイメージ表示を行ったら、新たに設けたステップＳ５５に移る。
【０１２６】
ステップＳ５５では、制御回路１３０は、操作者により上記入力操作部１１８ｂを介して操作入力された文字情報を取得する。
【０１２７】
その後、新たに設けたステップＳ６５で、制御回路１３０は、上記ステップＳ５５で取得した文字情報に含まれる、印字データとすべき部分と表示データとすべき部分とを識別する。具体的には、制御回路１３０は、取得した文字情報に含まれる、数字、及び、当該数字に関連する単位等の部分を、表示データとすべき部分として識別し、残りの部分を、印字データとすべき部分として識別する。なお、印字データとすべき部分と表示データとすべき部分との識別手法は、上記手法に限られず、別の手法を用いてもよい。
【０１２８】
そして、新たに設けたステップＳ７５に移り、制御回路１３０は、上記ステップＳ６５での識別結果に応じ、上記ステップＳ５５で取得した文字情報の一部、すなわち上記ステップＳ６５で印字データとすべき部分として識別された文字情報を印字データとする。またこれと共に、当該文字情報の残り、すなわち上記ステップＳ６５で表示データとすべき部分として識別された文字情報を表示データとする。これにより、印字データ及び表示データの振り分けを行う。なお、このステップＳ７５の手順が、各請求項記載の情報振り分け手段として機能する。
【０１２９】
その後、新たに設けたステップＳ８５で、制御回路１３０は、上記ステップＳ７５で振り分けられた印字データに対応した上記印字イメージＩｍＰを決定し、当該印字イメージＩｍＰに応じて上記印字領域Ｓを決定する。またこれと共に、制御回路１３０は、上記ステップＳ７５で振り分けられた表示データに対応した上記情報表示イメージＩｍＤを決定し、当該情報表示イメージＩｍＤに応じて上記情報表示領域Ｓｄを決定する。そして、制御回路１３０は、表示部１１８ａに表示信号を出力し、上記決定した印字イメージＩｍＰ及び印字領域Ｓを、前述のステップＳ２０で設定した印字可能領域Ｓｐにおいて表示させるとともに、上記決定した情報表示イメージＩｍＤ及び情報表示領域Ｓｄを、前述のステップＳ３０で決定した電子ペーパー部領域ＳＥｐにおいて表示させる（図１３参照）。言い換えれば、表示部１１８ａに表示信号を出力し、上記ステップＳ２０で設定された印字可能領域Ｓｐにおける、上記決定した印字イメージＩｍＰ及び印字領域Ｓを表示させるとともに、上記ステップＳ３０で決定された電子ペーパー部領域ＳＥｐにおける、上記決定した情報表示イメージＩｍＤ及び情報表示領域Ｓｄを表示させる。
【０１３０】
その後のステップＳ９０及びステップＳ１００は、前述の図８と同様である。すなわち、ステップＳ９０において、ラベル作成開始指示の操作信号が入力された場合には、ステップＳ９０の判定が満たされて、ステップＳ１１０に代えて設けたステップＳ１１０′に移る。
【０１３１】
ステップＳ１１０′では、制御回路１３０は、上記ステップＳ７５で振り分けられた印字データ及び表示データ（編集があった場合には編集後の印字データ及び表示データ）、印字領域Ｓの配置情報、及び、情報表示領域Ｓｄの配置情報等を含むラベル作成情報を作成する。そして、作成したラベル作成情報を通信回線ＮＷを介してラベル作成装置１の制御回路１１０に出力する。以上により、このフローを終了する。なお、このステップＳ１１０′の手順が、各請求項記載の信号出力手段として機能する。
【０１３２】
なお、上記において、ステップＳ５５及びステップＳ６５の手順が、各請求項記載の識別手段として機能する。
【０１３３】
以上説明したように、本変形例においては、操作者が入力操作部１１８ｂを介して文字情報を操作入力すると、制御回路１３０は、当該文字情報を印字データと表示データとに振り分ける。そして、その振り分けられた印字データ及び表示データをラベル作成装置１に出力する。また、表示部１１８ａは、上記振り分けられた印字データに対応した印字イメージＩｍＰを印字可能領域Ｓｐにおいて表示するとともに、上記振り分けられた表示データに対応した情報表示イメージＩｍＤを電子ペーパー部領域ＳＥｐにおいて表示する。これにより、操作者が一連の情報として操作入力した文字情報のうち、印字で表記する部分と、電子ペーパー部Ｅｐにより可変に表記する部分とを、自在に設定することができる。
【０１３４】
このとき特に、制御回路１３０は、上記入力操作部１１８ｂにより操作入力された文字情報を取得するとともに、取得した文字情報に含まれる、印字データとすべき部分と表示データとすべき部分とを識別する。そして、その識別結果に応じ、印字データと表示データとの振り分けを行う。これにより、操作者が一連の情報として操作入力した文字情報のうち、印字で表記する部分と、電子ペーパー部Ｅｐにより可変に表記する部分とを、自動的に振り分けて設定することができる。
【０１３５】
なお、本変形例では、入力操作部１１８ｂにより操作入力された文字情報を取得し、取得した文字情報に含まれる、印字データとすべき部分と表示データとすべき部分とを識別した後に、印字データと表示データとの振り分けを行った。しかしながら、これに限られず、入力操作部１１８ｂにより操作入力された文字情報を取得し、取得した文字情報を、操作者による手動設定によって、印字データと表示データとに振り分けるようにしてもよい。
【０１３６】
（３）印字可能領域の一部が電子ペーパー部と重なる場合
以上においては、印字可能領域Ｓｐは、印字付き電子ラベルＬの平面視において電子ペーパー部Ｅｐと重ならないように設定されていたが、これに限られない。すなわち、印字可能領域の一部を、印字付き電子ラベルＬの平面視において電子ペーパー部Ｅｐと重なるように設定するようにしてもよい。
【０１３７】
図１６に、ＰＣ１１８の表示部１１８ａの表示の一例を示す。
【０１３８】
図１６に示すように、表示部１１８ａには、作成される印字付き電子ラベルＬのイメージが、印字可能領域Ｓｐ′、電子ペーパー部領域ＳＥｐ、２つの印字イメージＩｍＰ（この例では「価格」及び「円」）、２つの印字領域Ｓ、１つの情報表示イメージＩｍＤ（この例では「２５００」）、及び、１つの情報表示領域Ｓｄを含めて表示されている。
【０１３９】
本変形例における印字可能領域Ｓｐ′は、作成される印字付き電子ラベルＬの範囲に収まるように、かつ印字可能領域Ｓｐ′の一部が当該印字付き電子ラベルＬの平面視において電子ペーパー部ＳＥｐと重なるように設定される。したがって、電子ペーパー部ＳＥｐの範囲（斜線で示す範囲）も、印字可能領域Ｓｐ′として設定することが可能となっている。
【０１４０】
図１６に示すように、この例では、電子ペーパー部領域ＳＥｐ内の全域についても、印字可能領域Ｓｐ′として設定されている。そして、上記２つの印字イメージＩｍＰのうち、１つの印字イメージＩｍＰ（「価格」）、及び、当該印字イメージＩｍＰに対応する印字領域Ｓは、電子ペーパー部領域ＳＥｐの外の印字可能領域Ｓｐ′内において表示されている。これに対し、上記２つの印字イメージＩｍＰのうち、別の印字イメージＩｍＰ（「円」）、及び、当該印字イメージＩｍＰに対応する印字領域Ｓは、電子ペーパー部領域ＳＥｐ内の印字可能領域Ｓｐ′内において表示されている。
【０１４１】
ここで、本変形例のラベル生成システムＬＳにおいて印字付き電子ラベルＬを作成する際に、ＰＣ１１８の制御回路１３０によって実行される制御内容は、前述の図８とほぼ同様で足りる。但し、ステップＳ２０では、制御回路１３０は、前述のステップＳ１０で取得したカートリッジ情報中のテープ属性情報に基づき、作成される印字付き電子ラベルＬの範囲に収まるように、かつ印字可能領域Ｓｐ′の一部が当該印字付き電子ラベルＬの平面視において電子ペーパー部Ｅｐと重なるように、上記印字可能領域Ｓｐ′を設定する。なお、本変形例におけるステップＳ２０の手順も、請求項４記載の印字領域設定手段として機能する。
【０１４２】
本変形例においては、制御回路１３０は、印字可能領域Ｓｐ′の一部が印字付き電子ラベルＬの平面視において電子ペーパー部Ｅｐと重なるように、印字可能領域Ｓｐ′を設定する。これにより、印字により固定的に表記される情報の表記領域と、電子ペーパー部Ｅｐにより可変に表記される情報の表記領域とが、一部重なるラベルを、容易に作成することができる。これにより、例えば、印字で表記される情報と電子ペーパー部Ｅｐで表記される情報との間を接近させ一体感を増加させた態様や、それらの情報を重ねるような態様での、ラベル表記を実現することができ、表現力や演出性を向上することができる。さらに、ユーザに対し内容を固定的に報知する情報で印字で表記されるべき情報について、敢えて電子ペーパー部Ｅｐで表記することで、万が一の情報変更に備えたり、ユーザに対し内容を可変で報知する情報と一緒に取り扱えるようにすることもできる。これらの結果、ユーザの使用する情報の性質や好み等に応じて、印字による表記と電子ペーパーによる表記との多種多様な使い分けが可能となり、利便性が向上する。
【０１４３】
（４）印字データ及び表示データの編集画面を別々に表示する場合
以上においては、印字データ及び表示データの編集を同一画面上で編集操作していたが、これに限られず、別々の画面上で編集操作するようにしてもよい。
【０１４４】
図１７に、ＰＣ１１８の表示部１１８ａの表示の一例を示す。
【０１４５】
図１７に示す例では、表示部１１８ａには、表示データ及び情報表示イメージＩｍＤを編集するための画面（図示左側の画面）と、印字データ及び印字イメージＩｍＰを編集するための画面（図示右側の画面）とが表示されている。
【０１４６】
図示左側の画面には、作成される印字付き電子ラベルＬのイメージが、電子ペーパー部領域ＳＥｐ、印字イメージＩｍＰ（この例では「ｐｒｉｃｅ」）、印字領域Ｓ、情報表示イメージＩｍＤ（この例では「￥２５００」）、及び、情報表示領域Ｓｄを含めて表示されている。
【０１４７】
この画面においては、操作者は、電子ペーパー部領域ＳＥｐ（斜線で示す範囲）に表示された情報表示イメージＩｍＤに係わる編集、すなわち表示データの編集、及び、情報表示イメージＩｍＤの移動等が行うことができるようになっている。
【０１４８】
一方、図示右側の画面には、作成される印字付き電子ラベルＬのイメージが、印字可能領域Ｓｐ、印字イメージＩｍＰ（この例では「ｐｒｉｃｅ」）、印字領域Ｓ、情報表示イメージＩｍＤ（この例では「￥２５００」）、及び、情報表示領域Ｓｄを含めて表示されている。
【０１４９】
この画面においては、操作者は、印字可能領域Ｓｐ（斜線で示す範囲）に表示された印字イメージＩｍＰに係わる編集、すなわち印字データの編集、及び、印字イメージＩｍＰの移動等が行うことができるようになっている。
【０１５０】
本変形例においても、上記実施形態や各変形例と同様の効果を得る。
【０１５１】
（５）その他
以上においては、ラベル作成装置１とは別体であるＰＣ１１８を印字電子ラベル編集装置として用いるようにしたが、これに限られず、ラベル作成装置１に表示手段、入力操作手段、及び移動操作手段等を一体的に設けておき、これを印字電子ラベル編集装置として用いる構成としてもよい。
【０１５２】
また、以上においては、印字及び電界印加の終了した印字済みラベル用テープ１０９を切断機構１５で切断して印字付き電子ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープがラベル排出口１１から排出されてきた後にラベル台紙（対応する印刷がなされたもの）のみをテープから剥がして印字付き電子ラベルＬを作成しても良く、本発明はこのようなものに対しても適用できる。
【０１５３】
また、以上においては、電子ペーパー部Ｅｐを配置した基材テープ１０１とは別のカバーフィルム１０３に対し印字を行ってこれらを貼り合わせる方式（いわゆるラミネート方式）であったが、これに限られず、電子ペーパー部Ｅｐを配置した基材テープ（感熱テープ等）に備えられた被印字テープ層（感熱層等）に印字を行う方式（貼り合わせを行わないいわゆるノンラミネートタイプ）に本発明を適用してもよい。
【０１５４】
さらに、以上は、基材テープ１０１がリール部材１０２ａの周りに巻回されて第１ロール１０２を構成し、カートリッジ７内にその第１ロール１０２が配置されて基材テープ１０１が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置１側のカートリッジホルダに装着して、上記収納部から移送、搬送して印字及び電界印加を行い印字付き電子ラベルＬを作成するようにしてもよい。
【０１５５】
さらには、上記ロールを直接ラベル作成装置１側に着脱可能に装着する構成や、長尺平紙状あるいは短冊状のテープやシートをラベル作成装置１外より１枚ずつ所定のフィーダ機構によって移送しラベル作成装置１内へ供給する構成も考えられ、さらにはカートリッジ７のようなラベル作成装置１本体側に着脱可能なものにも限られず、装置本体側に着脱不能のいわゆる据え付け型あるいは一体型として第１ロール１０２を設けることも考えられる。この場合も同様の効果を得る。
【０１５６】
なお、以上において、図４中に示す矢印は信号の流れの一例を示すものであり、信号の流れ方向を限定するものではない。
【０１５７】
また、図８及び図１５に示すフローチャートは本発明を上記フローに示す手順に限定するものではなく、発明の趣旨及び技術的思想を逸脱しない範囲内で手順の追加・削除又は順番の変更等をしてもよい。
【０１５８】
また、以上既に述べた以外にも、上記実施形態や各変形例による手法を適宜組み合わせて利用しても良い。
【０１５９】
その他、一々例示はしないが、本発明は、その趣旨を逸脱しない範囲内において、種々の変更が加えられて実施されるものである。
【符号の説明】
【０１６０】
１                印字電子ラベル装置
６                カートリッジホルダ
７                カートリッジ（印字電子ラベル用カートリッジ）
２３              サーマルヘッド（印字手段）
２９              電界印加ヘッド（電界印加手段）
１０１            基材テープ
１０３            カバーフィルム（被印字テープ）
１１８            ＰＣ（印字電子ラベル編集装置）
１１８ａ          表示部（第１表示手段、第２表示手段）
１１８ｂ          入力操作部（入力操作手段）
１１８ｃ          移動操作部（移動操作手段）
１３０            制御回路
Ｄ                情報表示
Ｅｐ              電子ペーパー部
ＩｍＤ            情報表示イメージ
ＩｍＰ            印字イメージ
Ｌ                印字付き電子ラベル
Ｒ                印字
Ｓ                印字領域
Ｓｄ              情報表示領域
ＳＥｐ            電子ペーパー領域（電子ペーパー部の領域）
Ｓｐ，Ｓｐ′      印字可能領域
【図１】
2012013957.tif 000003
【図２】
2012013957.tif 000004
【図３】
2012013957.tif 000005
【図４】
2012013957.tif 000006
【図５】
2012013957.tif 000007
【図６】
2012013957.tif 000008
【図７】
2012013957.tif 000009
【図８】
2012013957.tif 000010
【図９】
2012013957.tif 000011
【図１０】
2012013957.tif 000012
【図１１】
2012013957.tif 000013
【図１２】
2012013957.tif 000014
【図１３】
2012013957.tif 000015
【図１４】
2012013957.tif 000016
【図１５】
2012013957.tif 000017
【図１６】
2012013957.tif 000018
【図１７】
2012013957.tif 000019